(57)【要約】【課題】呼気分析センサを高感度・小型化した携帯ヘルスチェック装置を実現し、特定利用者に対し、特定時間に呼気分析サービスを提供する。【解決手段】腸内嫌気性細菌の異常増殖や消化不良症候群の検知に必要ながら小型センサでは検知困難だった水素に対し、気相成長三酸化タングステンを用いて携帯ヘルスチェック装置を実現する。  また、利用者の声紋等を用いた個人認証手段を携帯ヘルスチェック装置に搭載する。また、一定時刻に利用者を携帯電話で呼び出すような仕組みを携帯ヘルスチェック装置に搭載する。  さらに、呼気成分の検知情報を、通信回線を介してセンタサーバで受信し、該サーバで該検知情報を分析あるいは統計処理し、該分析または該統計処理の結果をデータベース内のアドバイス情報と照合し、該照合の結果に基づくアドバイス情報を前記サーバから当該利用者の携帯電話へ送信する。【選択図】図１
2006075447.tif 000002
【特許請求の範囲】
【請求項１】
携帯無線端末と、
該携帯無線端末の内側および外側の少なくとも一方に配設されたガスセンサとを具備して成り、
前記ガスセンサのセンス結果に基づいて、前記ガスセンサのセンス対象が属する人体の健康に関する情報を前記携帯無線端末に表示するよう構成され、
前記ガスセンサは水素センサを含んで成る
ことを特徴とする携帯ヘルスチェック装置。
【請求項２】
請求項１において、
前記センス結果は前記携帯無線端末の内部にて加工され、加工されたセンス結果を表示することを特徴とする携帯ヘルスチェック装置。
【請求項３】
請求項１において、
前記センス結果は前記携帯無線端末に通信回線を介して接続されたセンタサーバにて加工され、加工されたセンス結果を前記センタサーバから直接的または間接的に受信し、受信した前記加工されたセンス結果を表示することを特徴とする携帯ヘルスチェック装置。
【請求項４】
請求項１において、
前記水素センサは、有機金属化学的気相堆積法を用いて作製された酸化タングステンを水素検知材料として含んで構成されていることを特徴とする携帯ヘルスチェック装置。
【請求項５】
請求項１において、
前記ガスセンサによるセンシングに係るサービスを利用する利用者の認証を行う機能を更に具備して成ることを特徴とする携帯ヘルスチェック装置。
【請求項６】
請求項５において、
前記認証は、前記利用者の発声に伴う声紋に基づいて行われることを特徴とする携帯ヘルスチェック装置。
【請求項７】
請求項５において、
前記認証は、前記利用者のパスワード入力に基づいて行われることを特徴とする携帯ヘルスチェック装置。
【請求項８】
請求項５において、
前記認証は、前記利用者の事前または逐次の認証省略手続きにより省略可能となるよう構成されていることを特徴とする携帯ヘルスチェック装置。
【請求項９】
請求項１において、
前記携帯ヘルスチェック装置は、前記利用者の発声を所定の時刻に催促する構成を含んで成ることを特徴とする携帯ヘルスチェック装置。
【請求項１０】
請求項９において、
前記催促する構成は、呼び出し音および振動の少なくとも一方を前記利用者に与える機能を有する構成であることを特徴とする携帯ヘルスチェック装置。
【請求項１１】
携帯ヘルスチェック装置によって検知された前記携帯ヘルスチェック装置の利用者の呼気成分に係る検知情報を、前記携帯ヘルスチェック装置から通信回線を介してセンタサーバで受信するステップと、
前記センタサーバにて前記検知情報に対する情報処理を行うステップと、
前記情報処理の結果と、前記センタサーバからアクセス可能に設けられたデータベース内の複数のアドバイス情報との照合を行うステップと、
前記複数のアドバイス情報の中から前記照合の結果に基づいて選択されたアドバイス情報を前記センタサーバから直接的または間接的に前記利用者に属する前記携帯ヘルスチェック装置へ送信するステップと
を具備して成る呼気分析サービス方法であって、
前記携帯ヘルスチェック装置は、
携帯無線端末と、
該携帯無線端末の内側および外側の少なくとも一方に配設されたガスセンサとを具備して成り、
前記ガスセンサのセンス結果に基づいて、前記ガスセンサのセンス対象が属する人体の健康に関する情報を前記携帯無線端末に表示するよう構成され、
前記ガスセンサは水素センサを含んで成る
ことを特徴とする呼気分析サービス方法。
【請求項１２】
請求項１１において、
前記携帯ヘルスチェック装置を前記利用者へ配布するステップを更に具備して成ることを特徴とする呼気分析サービス方法。
【請求項１３】
請求項１１において、
前記情報処理は、前記検知情報に対する分析および統計処理の少なくとも一方を含んで成ることを特徴とする呼気分析サービス方法。
【請求項１４】
請求項１１において、
前記センス結果は前記携帯無線端末の内部にて加工され、加工されたセンス結果を表示することを特徴とする呼気分析サービス方法。
【請求項１５】
請求項１１において、
前記センス結果は前記携帯無線端末に通信回線を介して接続されたセンタサーバにて加工され、加工されたセンス結果を前記センタサーバから直接的または間接的に受信し、受信した前記加工されたセンス結果を表示することを特徴とする呼気分析サービス方法。
【請求項１６】
請求項１１において、
前記水素センサは、有機金属化学的気相堆積法を用いて作製された酸化タングステンを水素検知材料として含んで構成されていることを特徴とする呼気分析サービス方法。
【請求項１７】
請求項１１において、
前記ガスセンサによるセンシングに係るサービスを利用する利用者の認証を行う機能を更に具備して成ることを特徴とする呼気分析サービス方法。
【請求項１８】
請求項１７において、
前記認証は、前記利用者の発声に伴う声紋に基づいて行われることを特徴とする呼気分析サービス方法。
【請求項１９】
請求項１７において、
前記認証は、前記利用者のパスワード入力に基づいて行われることを特徴とする呼気分析サービス方法。
【請求項２０】
請求項１７において、
前記認証は、前記利用者の事前または逐次の認証省略手続きにより省略可能となるよう構成されていることを特徴とする呼気分析サービス方法。
【請求項２１】
請求項１１において、
前記携帯ヘルスチェック装置は、前記利用者の発声を所定の時刻に催促する構成を含んで成ることを特徴とする呼気分析サービス方法。
【請求項２２】
請求項２１において、
前記催促する構成は、呼び出し音および振動の少なくとも一方を前記利用者に与える機能を有する構成であることを特徴とする呼気分析サービス方法。
【請求項２３】
請求項１１において、
前記検知情報の中に緊急性を示す情報が含まれているか否かを判定するステップと、
前記検知情報に緊急性を示す情報が含まれていると判定した場合に、前記検知情報および前記携帯ヘルスチェック装置の所在位置に関する位置情報を含む情報を、予め登録された病院に前記センタサーバから前記通信回線を介して通知するステップと、
前記検知情報および前記携帯ヘルスチェック装置の所在位置に関する位置情報を含む情報を受信した前記予め登録された病院にて前記利用者の担当医を確認させるステップと、
前記担当医に前記検知情報および前記携帯ヘルスチェック装置の所在位置に関する位置情報を確認させるステップと、
前記利用者が向かうべき病院を前記担当医に指定させるステップと、
前記利用者が向かうべき病院の所在地に係る情報を前記携帯ヘルスチェック装置に送信して前記携帯ヘルスチェック装置の画面上に表示させるステップと
を更に具備して成ることを特徴とする呼気分析サービス方法。
【請求項２４】
請求項２３において、
前記予め登録された病院は、前記利用者が通常通院している病院であることを特徴とする呼気分析サービス方法。
【請求項２５】
請求項２３において、
前記利用者が向かうべき病院の所在地に係る情報は、少なくとも該病院の住所および地図を含むことを特徴とする呼気分析サービス方法。
【発明の詳細な説明】
【技術分野】
【０００１】
本発明は、所定のガス（例えば水素ガス）に感応するガスセンサを具備した携帯ヘルスチェック装置、およびそれを用いた呼気分析サービスに関する。
【背景技術】
【０００２】
従来、ガスセンサ用金属酸化物の製造方法を開示したものがある（例えば、特許文献１参照）。特許文献１は、ガスセンサに最もよく用いられる金属酸化物である酸化スズＳｎＯ２の場合、酸素ラジカルを併用した電子ビーム蒸着法が、プラズマ励起化学的気相堆積（ＰＥＣＶＤ）法、有機金属気相堆積（ＭＯＣＶＤ）法、スパッタリング法、熱酸化法、等に比較して優れていると説明している。
また、従来、携帯電話機として、人体から発せられる呼気に含まれる成分に感応する半導体ガスセンサを内蔵する構成を開示するものがある（例えば、特許文献２参照）。
【０００３】
【特許文献１】特開２００１−５９１６０号公報
【０００４】
【特許文献２】特開２０００−３４１３７５号公報
【発明の開示】
【発明が解決しようとする課題】
【０００５】
特許文献２に開示された、人体から発せられる呼気に含まれる成分に感応する半導体ガスセンサを内蔵する携帯電話機では、自然に行われる会話中に発せられる呼気に含まれる成分のうち、口臭の元であるメチルメルカプタンや、飲酒後の臭いの元であるエチレンの検出を、二酸化錫（ＳｎＯ２）からなるセンサを用いて行っていた。その一方で、１９９９年頃から、呼気分析と疾病の関係が明らかにされてきて、携帯電話が爆発的に普及し、またその所有者が常時携帯するという社会変化と相まって、携帯電話での呼気分析を、口臭チェックや飲酒後の酩酊度チェックにとどまらず、健康管理に適用したいというニーズが拡大している。
【０００６】
呼気化学の研究成果によれば、例えば、腸内嫌気性細菌の異常増殖や消化不良症候群では水素、糖尿病ではアセトン、肝疾患ではアンモニア、腎疾患ではトリメチルアミンが呼気成分に含まれる。しかし、これらのガスのうち、水素だけはＳｎＯ２では感度が低く、新たなセンサ材料が必要であった。本発明の第１の目的は、水素に対する感度の高い小型センサを含むセンサアレイを搭載した携帯ヘルスチェック装置を提供することである。
【０００７】
また、上記の通り、健康管理を携帯電話で行うようになると、プライバシー保護の問題を無視できなくなり、これまでの口臭・アルコールセンサ内蔵携帯電話では設けていなかった個人認証が必要となる。本発明の第２の目的は、使用者に負担をかけない簡易な認証方法を有する携帯ヘルスチェック装置を提供することである。
また、上記健康診断には、毎日同じ時間にデータ収集する必要のあるものも存在するが、携帯電話利用者の自主性に任せていては、呼気分析を忘れがちになる恐れがある。そこで、本発明の第３の目的は、呼気分析を定期的に実施できる携帯ヘルスチェック装置を提供することである。
【０００８】
また、上記口臭・アルコールセンサは携帯電話内での診断が可能であったが、例えば、肝臓・腎臓病患者が家庭で普段生活している場合の健康管理サポートとなると、個人の携帯電話内では判断を下せない場合が発生する。本発明の第４の目的は、健康管理を目的に専門的な診断を行う場合の呼気分析サービス方法を提供することである。
また、上記肝臓・腎臓病患者のモニタなどを医師の診断などで定期的に実施している場合に、患者が外出先で急に体調が悪くなり、緊急で精密診断が必要となる場合があり得る。本発明の第５の目的は、このような緊急時のサポート手段を提供することである。
【課題を解決するための手段】
【０００９】
本発明の代表的なものの一例を示せば以下の通りである。すなわち、本発明の携帯ヘルスチェック装置は、携帯無線端末と、該携帯無線端末の内側および外側の少なくとも一方に配設されたガスセンサとを具備して成り、前記ガスセンサのセンス結果に基づいて、前記ガスセンサのセンス対象が属する人体の健康に関する情報を前記携帯無線端末に表示するよう構成され、前記ガスセンサは水素センサを含んで成ることを特徴とする。
【００１０】
また、本発明の呼気分析サービス方法は、携帯ヘルスチェック装置によって検知された前記携帯ヘルスチェック装置の利用者の呼気成分に係る検知情報を、前記携帯ヘルスチェック装置から通信回線を介してセンタサーバで受信するステップと、前記センタサーバにて前記検知情報に対する情報処理を行うステップと、前記情報処理の結果と、前記センタサーバからアクセス可能に設けられたデータベース内の複数のアドバイス情報との照合を行うステップと、前記複数のアドバイス情報の中から前記照合の結果に基づいて選択されたアドバイス情報を前記センタサーバから直接的または間接的に前記利用者に属する前記携帯ヘルスチェック装置へ送信するステップとを具備して成ることを特徴とし、また、ここにおける携帯ヘルスチェック装置が上述の要件を満たすことを特徴とする。
【００１１】
特に、本発明の第１の目的を達成するためには、水素検知材料として水素感度の高い三酸化タングステン（ＷＯ３）を選択し、ＭＯＣＶＤ（Ｍｅｔａｌｏｒｇａｎｉｃ  Ｃｈｅｍｉｃａｌ  Ｖａｐｏｒ  Ｄｅｐｏｓｉｔｉｏｎ）法により形成した高感度・小型水素センサを携帯ヘルスチェック装置に搭載するよう構成すれば好適である。
【００１２】
また、本発明の第２の目的を達成するためには、携帯ヘルスチェック装置利用者の「もしもし」等の発声における声紋、パスワード入力、または認証省略登録のいずれかの個人認証方法を携帯ヘルスチェック装置に搭載するよう構成すれば好適である。
また、本発明の第３の目的を達成するためには、携帯ヘルスチェック装置使用者または該使用者の健康を管理する者が、一定時刻に使用者を携帯電話で呼び出すような仕組みを携帯ヘルスチェック装置に搭載すれば好適である。
【００１３】
また、本発明の第４の目的を達成するためには、呼気成分の検知情報を、携帯電話の通信回線を介してセンタサーバで受信し、該サーバで前記検知情報を分析あるいは統計処理し、該分析または該統計処理の結果をデータベース内のアドバイス情報と照合し、該照合の結果に基づくアドバイス情報を前記サーバから当該利用者の携帯電話へ送信するようにした呼気分析サービス方法が好適である。
【００１４】
また、本発明の第５の目的を達成するためには、検知情報が緊急性を示した場合に、自動的に利用者が通常通院している病院に通知するとともに、携帯電話から分析結果とともに位置情報を送信する手段と、受信した病院側で担当医の確認を行い、緊急度と利用者の位置を考慮し、該病院への来院か、使用者のいる近くの病院を地図付きで照会する呼気分析サービス方法が好適である。
【発明の効果】
【００１５】
本発明によれば、水素に対する感度の高い小型センサを含むセンサアレイを搭載した携帯ヘルスチェック装置を提供することが可能となる。
【発明を実施するための最良の形態】
【００１６】
本発明の第１の目的に関し、ＷＯ３をＭＯＣＶＤ法により形成し、触媒膜としてＰｄ１５ｎｍを堆積した水素センサに関して、図６を用いて説明する。図６は携帯電話のマイク部分に搭載可能、または携帯電話に外付け可能なガスセンサのサイズとして、０．５ｍｍ角サイズ検知膜で検知可能なガス感度を１とした場合の相対感度を、ガス濃度に対してプロットした実験結果である。従来のＳｎＯ２膜（膜厚１μｍ）１２では、メチルメルカプタン、トリメチルアミン、アセトンに対する感度はあったものの、水素に対する感度は十分ではなかった。また、水素向けにセンサ検知膜をＷＯ３に変えても、従来のスパッタならびに酸化で作製している限り、水素分子を原子状水素に解離させる触媒膜を最適化しても、実用上必要な１０００ｐｐｍの水素感度を０．５ｍｍ角で得ることはできなかった。
【００１７】
それに対し、ジケトンＷ錯体原料を用いたＭＯＣＶＤ法により、５００℃に加熱したガラス基板上に形成したＷＯ３膜（膜厚１μｍ）１３では、１００ｐｐｍの水素に対する感度まで得られた。特開２００１−５９１６０号公報と最適製造方法が異なったのは、ＷＯ３が柱状結晶になりやすい傾向があり、ＭＯＣＶＤが最も柱状結晶の径を小さくでき、結果として表面積を最大にできたためであると推定する。このように、従来、不適と考えられてきたＣＶＤをＷＯ３に適用し、センサとしての効果を見出したのは、本発明が初めてであり、これによって水素を含む呼気分析機能を携帯無線端末に搭載することが可能となった。
【００１８】
本発明の第２の目的に関しては、使用者の呼気の声紋分析、使用者によるパスワード入力、あるいは利用者の事前または逐次の認証省略手続き、のいずれかを携帯ヘルスチェック装置に導入することにより、プライバシー保護が必須な利用者には個人認証機能提供を、プライバシー保護が不要な利用者には個人認証省略機能提供をすることにより、全ての使用者にプライバシーの問題への対応が可能となる効果がある。
【００１９】
本発明の第３の目的に関しては、利用者または利用者が指定する医師の設定した時間に携帯電話の呼び出し音または呼び出し振動を発生させ、利用者が電話に出て呼気を収集するようにした結果、呼気分析を忘れがちな使用者が、呼気分析を定期的に実施できる効果がある。
【００２０】
本発明の第４の目的に関しては、携帯電話の無線通信機能を利用し、センササーバのデータベースや医師の判断を元に呼気分析診断を行い、その結果を上記携帯電話の画面上に表示させる手段を、センタサーバの統計処理または医師への問い合わせにより実現する結果、健康管理を目的に専門的な診断を行う場合の呼気分析サービスが実現できる効果がある。
【００２１】
本発明の第５の目的に関しては、携帯電話が位置検出機能を備え、緊急時に利用者が契約した医師の病院近くにいるか否かを判定し、近くにいて、かつ担当医師が病院にいる場合には医師に予約連絡をし、近くにいても担当医師が不在またはかかりつけの病院から離れて存在している場合には、使用者の近くの病院を携帯電話画面に表示するとともに、その近くの病院に予約と利用者の病歴情報をセンタサーバから送信する手段を入れるようにした結果、肝臓・腎臓病患者のモニタなどを医師の診断などで定期的に実施している場合に、患者が外出先で急に体調が悪くなり、緊急で精密診断が必要となる場合のサポート手段を実現できる効果がある。
【実施例１】
【００２２】
本発明の第１の実施例を、図１から図６を用いて説明する。
図１および図３は本発明による携帯ヘルスチェック装置の正面外観図である。前面には、少なくとも、マイク用窓１、入力テンキー２、電話開始ボタン３、電話停止ボタン４、呼気分析開始ボタン５、ディスプレイ６、アンテナ７、およびガスセンサ１１または１４が備わっており、ガスセンサ１１は図１に示すように携帯ケルスチェック装置のマイク用窓１の内側に、ガスセンサ１４は図３に示すように携帯ヘルスチェック装置の外側に設けられている。図３のように外側にガスセンサを設置する場合は、携帯電話に充電器を接続するコネクタを利用するのが簡便であり、本実施例でもそのような形態を用いた。図２および図４はそれぞれガスセンサ１１、１４における検知膜の配置構造を示す平面図である。
【００２３】
図４の携帯ヘルスチェック装置外付けガスセンサ１５では、携帯電話用マイク窓を兼用できないため、呼気収集用窓１５を設けた。ここで、検知膜として、どちらも０．５ｍｍ角のＳｎＯ２膜（膜厚１μｍ）１２およびＷＯ３膜（膜厚１μｍ）１３用いた。ＳｎＯ２膜（膜厚１μｍ）１２は室温でスパッタ法により堆積し、酸素雰囲気で５００℃にて３０分間アニールして形成した。一方、ＷＯ３膜（膜厚１μｍ）１３はジケトンＷ錯体原料を用いたＭＯＣＶＤ法により、５００℃に加熱したガラス基板上に形成し、表面に触媒膜としてＰｄ（膜厚１５ｎｍ）を堆積した。後者では、ＭＯＣＶＤ後の酸素雰囲気でのアニールは特に実施していない。
【００２４】
次に、本実施例における携帯ヘルスチェック装置の回路構成を示すブロック図を図５に示す。メモリに格納されたプログラムやデータに基づいた処理を行う中央処理ユニットには、駆動回路を通じて液晶ディスプレイ６が接続されており、中央処理ユニットでの演算・処理結果が表示される。一方、送受信回路にはアンテナ、送話部、受話部が接続されており、送話部からの音声信号が送受信回路で所定の送信信号に変換されて、アンテナを通じて送信される。また、アンテナからの受信信号は、送受信回路で音声信号に変換されて、受話部に供給される。このような通常の携帯電話構成に加え、本実施例では、中央処理ユニットにＳｎＯ２膜１２からなるメチルメルカプタン、トリメチルアミン、アセトン等のガスセンサ、およびＷＯ３膜１３からなる水素センサからなるガスセンサが接続され、携帯ヘルスチェック装置を構成している。
【００２５】
図６は図１から図５に示す携帯ヘルスチェック装置を用いて、メチルメルカプタン、トリメチルアミン、アセトン、水素に対する感度の分析をした結果である。従来技術のスパッタ法を用いて作製されたＷＯ３膜では、実用上必要な１０００ｐｐｍの水素感度を０．５ｍｍ角で得ることはできなかったのに対し、本発明のＷＯ３膜１３では１００ｐｐｍの感度まで得ることができた。
【００２６】
本発明によれば、水素センサにＭＯＣＶＤ法により形成したＷＯ３を用いた結果、水素センサを含む呼気分析用ガスセンサを携帯電話のマイク部分に搭載、または携帯電話に外付けした携帯ヘルスチェック装置を実現できる効果がある。
なお、本実施例では、ＳｎＯ２膜１２とＷＯ３膜１３の２つのみ並置しているが、ＳｎＯ２ではメチルメルカプタン、トリメチルアミン、アセトン等の選択性が得られないため、これらを厳密に測定し分ける用途には、例えば、ＳｎＯ２膜１２を複数用意して、それぞれのガスに適した触媒膜をＳｎＯ２膜１２上に設けるか、メチルメルカプタン、トリメチルアミン、アセトン等のガスに対して、ＳｎＯ２と異なる感度を有する金属酸化物膜を並置すればよいのはもちろんである。
【実施例２】
【００２７】
本発明の第２の実施例を、図１、図３、図５、および図７を用いて説明する。
図７は携帯ヘルスチェック装置の利用者を認証する手順を示すフローチャートである。なお、通常、携帯電話は常に着信待ちのため電源が投入されている。しかし、電源が切れた状態から開始するのであれば、図示していないが、携帯電話の主電源をオンすることから始める。
【００２８】
はじめに、携帯電話が着信待ち受けの状態で、使用者が図１および図３に「測定」と記したボタンを押して呼気分析測定を開始することにした。続いて、携帯ヘルスチェック装置から「呼気分析を開始します」という呼気分析の開始通知を音声で出すようにした。この際、呼気成分を測定していることを他人に知られたくない利用者向けに電話の呼び出し音を出す設定や、公共スペース等にいて音を出せない利用者および聴力の弱い利用者向けに振動させる設定も可能なようにした。
従来、口臭センサやアルコールセンサ内蔵した携帯電話では設けていなかった個人認証を本実施例では以下の３通り採用した。
【００２９】
第１の利用者認証方法は、もしもし等の利用者の発声に伴う声紋を利用するものである。利用者はあらかじめ声紋をインターネットで接続された認証局に登録しておき、呼気分析のたびに、インターネットを経由して、声紋による個人認証を受けるものである。このインターネット接続を利用した認証は利用者が意識せずに実施されるため、利用者に手続き上の負担をかけることはない特徴がある。なお、本実施例では、声紋登録・認証に周知の必要な音声認識ならびに音声合成の技術を用いた。
【００３０】
第２の利用者認証方法は、利用者に事前にパスワードを携帯ヘルスチェック装置に登録してもらい、呼気分析のたびに利用者にパスワードを入力してもらうものである。インターネットを介した認証がないため、実際の呼気分析に移るまでの時間を短縮できる一方、パスワード入力の手間が若干かかるが、利用者にそれほど負担をかけずに認証できる特徴がある。本実施例では、パスワードとして４桁の数字を用いた。
【００３１】
第３の利用者認証方法は、利用者に事前または逐次、認証省略手続きを行ってもらい、認証を省略するものである。これは元々認証を不要と考える利用者の便宜を図るものであるが、登録利用者以外の人が試しにゲストとして利用する場合にも対応できる。本実施例では、事前に「図１または図３の「開始」ボタンを再度押すことにより認証省略する」設定を利用者メニューに設け、その設定を行った利用者は、逐次、「開始」ボタンを押して認証省略する方法を採用した。
【００３２】
上記いずれかの利用者個人認証の結果、携帯ヘルスチェック装置の利用者に利用資格があると判定されると、「呼気を吹きかけてください。」という音声を流し、利用者に呼気の吹きかけをさせるようにした。この際、呼気成分を測定していることを他人に知られたくない利用者、公共スペース等にいて音を出せない利用者、ならびに聴力の弱い利用者向けに向けに、図１および図３に示すディスプレイ６に文字で表示する設定や、視力の弱い利用者向けに振動させる設定も可能なようにした。
【００３３】
利用者が通常携帯電話で話している要領で、センサ部に呼気を吹き込んだ後、センサが呼気成分を検知できた場合、データを図５に示すメモリに格納するとともに、結果をディスプレイ６に表示する一方、呼気成分の検知に問題があった場合、利用者に対して、音声、表示、振動等の手段で再測定を促すように設定した。
【００３４】
最後に再分析が必要かどうかを利用者に対して、音声、表示、振動等の手段で確認するように設定した。
本実施例によれば、携帯ヘルスチェック装置使用者の「もしもし」等の発生における声紋、パスワード入力、または認証省略登録のいずれかの個人認証方法を携帯ヘルスチェック装置に搭載するようにした結果、使用者に負担をかけずに、プラバシーに配慮した携帯ヘルスチェック装置を実現できる効果がある。
【実施例３】
【００３５】
本発明の第３の実施例を以下、説明する。
本実施例では、実施例１および２で説明した携帯ヘルスチェック装置に、タイマー機能を設けた。具体的なタイマー利用方法としては、毎日同じ時間にデータ収集する必要のある呼気分析に関して、呼気分析を忘れがちな携帯ヘルスチェック装置利用者に対し、毎日一定時間に電話の呼び出しを音または振動で実施するように、携帯ヘルスチェック装置使用者自身または該使用者の健康を管理する者が設定する例が挙げられる。
本実施例によれば、利用者の発声を促す呼び出し音または振動をあらかじめ定められた時間に与える設定がなされるため、呼気分析を定期的に実施できる携帯ヘルスチェック装置を実現できる効果がある。
【実施例４】
【００３６】
本発明の第４の実施例を、図８を用いて説明する。
図８は呼気分析サービス方法を示すモデル図である。２１は実施例１から３で説明した複数の携帯ヘルスチェック装置２１（図１および図３参照）がインターネット等の通信回線を介してセンタサーバ２２と接続されている。
【００３７】
本実施例では、携帯ヘルスチェック装置２１の利用者の呼気成分に関する検知情報を、通信回線を介してセンタサーバで受信し、該サーバで該検知情報を分析あるいは統計処理し、該分析または該統計処理の結果をデータベース内のアドバイス情報と照合し、該照合の結果に基づくアドバイス情報を前記サーバから該利用者の携帯ヘルスチェック装置へ送信するシステムを構築し、携帯ヘルスチェック装置利用者への呼気分析サービスを実施した。
本実施例によれば、例えば、肝臓・腎臓病等の患者が家庭で普段生活している場合の健康管理サポートとなると、個人の携帯電話内では判断を下せない場合に対し、健康管理を目的に専門的な診断が可能な呼気分析サービス方法を提供できる効果がある。
【実施例５】
【００３８】
本発明の第５の実施例を、図９から図１１を用いて説明する。
図９はＧＰＳ（Ｇｌｏｂａｌ  Ｐｏｓｉｔｉｏｎｉｎｇ  Ｓｙｓｔｅｍ）位置検出システムを用いた呼気分析サービス方法を示すモデル図である。また、図１０および図１１は携帯ヘルスチェク装置２１のディスプレイ６（図１および図３参照）に示す位置情報の例である。
【００３９】
携帯ヘルスチェック装置２１はＧＰＳ衛星群２３からの位置検出基礎情報受信し、インターネット等の通信回線を介して接続されたセンタサーバ２２において利用者の呼気成分に関する検知情報を、分析あるいは統計処理し、該分析または該統計処理の結果をデータベース内のアドバイス情報と照合し、該照合の結果に基づくアドバイス情報を前記サーバから該利用者の携帯ヘルスチェック装置へ送信する際に、該センサで検知した検知情報が緊急性を示した時に、該検知情報と該携帯ヘルスチェック装置の位置情報を、前記通信回線を介して、自動的に前記使用者が通常通院している病院２４に電話で通知するとともに、該検知情報と該位置情報をインターネットで受信した病院にて該利用者の担当医の確認を行い、該担当医が該緊急性と該位置情報を考慮して、該利用者が向かうべき病院を呼気分析サービス会社に指定すると、呼気分析サービス会社が該利用者の最寄の駅までの地図（図１０）や、向かうべき病院の住所と交通手段（図１１）を該携帯ヘルスチェック装置の画面上に表示させるようにした。
【００４０】
本実施例によれば、肝臓・腎臓病患者のモニタなどを医師の診断などで定期的に実施している場合に、患者が外出先で急に体調が悪くなり、緊急で精密診断が必要となる場合のサポート手段を提供することが可能となる。
【図面の簡単な説明】
【００４１】
【図１】本発明による携帯無線端末の内側にガスセンサを具備した、携帯ヘルスチェック装置の正面図である。
【図２】本発明による携帯ヘルスチェック装置に内蔵されたガスセンサ内における複数検知膜の配置状態を示す平面図である。
【図３】本発明による携帯無線端末の外側にガスセンサを具備した、携帯ヘルスチェック装置の正面図である。
【図４】本発明による携帯ヘルスチェック装置に外付けされたガスセンサ内における呼気収集用窓および複数検知膜の配置状態を示す平面図である。
【図５】本発明による携帯ヘルスチェック装置の回路構成を示すブロック図である。
【図６】０．５ｍｍ角サイズの検知膜で検知可能なガス感度を１とした場合の相対感度を、ガス濃度に対してプロットした実験結果を示す図である。
【図７】本発明による携帯ヘルスチェック装置の利用者認証手順を示すフローチャートである。
【図８】本発明による呼気分析サービス方法を示すモデル図である。
【図９】本発明によるＧＰＳ位置検出システム連動呼気分析サービス方法を示すモデル図である。
【図１０】本発明による位置情報表示画面の一例を示す図である。
【図１１】本発明による位置情報表示画面の一例を示す図である。
【符号の説明】
【００４２】
１・・・マイク用窓、２・・・入力テンキー、３・・・電話開始ボタン、４・・・電話停止ボタン、５・・・呼気分析開始ボタン、６・・・ディスプレイ、７・・・アンテナ、１１・・・ガスセンサ、１２・・・ＳｎＯ２膜、１３・・・ＷＯ３膜、１４・・・ガスセンサ、１５・・・呼気収集用窓、２１・・・携帯ヘルスチェック装置、２２・・センタサーバ、２３・・・ＧＰＳ衛星、２４・・・病院。
【図１】
2006075447.tif 000003
【図２】
2006075447.tif 000004
【図３】
2006075447.tif 000005
【図４】
2006075447.tif 000006
【図５】
2006075447.tif 000007
【図６】
2006075447.tif 000008
【図７】
2006075447.tif 000009
【図８】
2006075447.tif 000010
【図９】
2006075447.tif 000011
【図１０】
2006075447.tif 000012
【図１１】
2006075447.tif 000013